(57)【特許請求の範囲】
【請求項１】
クレセントを備えた引き違い式戸障子が装設された建物開口部において、該戸障子よりも室内側の上横枠及び下横枠に設置するガイド枠により支持させるための建物開口部用面格子装置であって、
互いに平行を成す第１縦枠材及び第２縦枠材、並びに互いに平行を成してこれら縦枠材同士を連結する複数の横桟材をそれぞれ有する第１及び第２格子体とから成り、第１及び第２格子体における上記横桟材が互いに異なる高さに設けられた面格子を備え、
上記建物開口部に設置される上下のガイド枠の同一軌道に、上記両格子体における各縦枠材の上下端部をそれぞれ支持させ、
上記第１及び第２格子体における建物開口部の中央部側に位置する各第２縦枠材が、それぞれ他方の格子体における第１及び第２縦枠材の間に位置して、両格子体における各横桟材が他方の格子体における第２縦枠材に設けられた貫通穴に挿通され、該両第２縦枠材は両格子体を最も拡張させた状態で互いに当接する当接面を有しており、
上記第１及び第２格子体を上記ガイド枠に沿って相対的に移動させることにより、両格子体の設置状態を拡縮できるように構成され、
上記面格子は、その両格子体が拡張された状態でガイド枠に対して固定可能な固定手段を有し、上記固定手段による面格子の固定状態においては、両格子体の第２縦枠材のうちの少なくとも一方が、上記戸障子のクレセントの開錠操作を不能にする位置にあるように形成した、
ことを特徴とする建物開口部用面格子装置。
【請求項２】
上記両格子体が最も拡張された状態で両格子体の第２縦枠材を相互に連結するロック手段を備え、
該ロック手段で両格子体の第２縦枠材を連結したときの両格子体で構成される面格子の横方向の長さが、建物開口部の横幅よりも短く形成されていて、
該ロック手段による第２縦枠材の連結の解除及び前記固定手段による面格子の固定の解除により、両格子体をガイド枠に沿ってそれぞれ移動可能とし、この状態において、第２縦枠材が上記クレセントの操作を可能にする位置に移動可能に形成されている、
ことを特徴とする請求項１に記載の建物開口部用面格子装置。
【請求項３】
ガイド枠に対する面格子の固定手段が、第１及び第２格子体における一方の第２縦枠材に設けられ、
該固定手段は、ガイド枠に設けた係止孔に向けて突出係合させる係止部材を有し、該係止部材をガイド枠の係止孔に向けて出没させる操作子が、第１及び第２格子体における第２縦枠材の当接面側において操作可能に配設されており、
上記ロック手段による一対の第２縦枠材の連結時に上記操作子が外部から操作不能に隠蔽されている、
ことを特徴とする請求項１または２に記載の建物開口部用面格子装置。
【請求項４】
第１及び第２格子体における第２縦枠材の召し合わせ部において、両第２縦枠材の当接面を被覆隠蔽する覆片を、一方の第２縦枠材に付設している、
ことを特徴とする請求項３に記載の建物開口部用面格子装置。
【請求項５】
上記上下のガイド枠において、それぞれ各ガイド溝の溝底を貫通する固定ネジにより上記建物開口部の上横枠及び下横枠に対し固定される部分に、鉄材またはそれよりも高強度の溝型の補強板を当接し、上記固定ネジによって固定される補強板の当接部分を、前記固定手段による面格子の固定位置において拡張された状態にある両格子体の第１及び第２縦枠材が存在する部分としている、
ことを特徴とする請求項１〜４の何れかに記載の建物開口部用面格子装置。
【請求項６】
上記ロック手段が、第１及び第２格子体における第２縦枠材のうちの一方に設けられてその第２縦枠材の内部から他方の第２縦枠材に向かって出没するフックを備えた錠部と、他方の第２縦枠材に設けられて、上記フックが係脱可能に係合する係合部とから成り、
上記錠部が、上記一方の縦枠材の室内側側面に配設された鍵穴を有し、該鍵穴に差し込んだ鍵の操作により、上記フックを上記係合部に対し係脱可能に構成されている、
ことを特徴とする請求項２〜４の何れかに記載の建物開口部用面格子装置。
【請求項７】
上記第１及び第２格子体において、横桟材が全体的に上下方向に等間隔に配設されていると共に、両格子体の横桟材が上下方向に交互に配設されている、
ことを特徴とする請求項１〜６の何れかに記載の建物開口部用面格子装置。
【請求項８】
上記横桟材が第１及び第２縦枠材に固定ネジで取り付けるためのビスポケット用溝を有し、該溝に鉄材またはステンレス製のロープを挿通している、
ことを特徴とする請求項１〜７の何れかに記載の建物開口部用面格子装置。
【発明の詳細な説明】
【技術分野】
【０００１】
本発明は、特に防犯のために用いられ、建物開口部に装着して横引きにより開閉する建物開口部用面格子装置に関するものである。
【背景技術】
【０００２】
建物開口部用面格子装置としては、縦枠材の間に複数の横桟材を架け渡して格子体を形成し、その格子体の一対を建物開口部に引き違い状に装着して面格子としたものが従来から知られているが、その場合には、一対の格子体がそれぞれガイド枠における別々の軌道に沿って移動するので、その設置に少なくとも格子体２枚分の厚さが必要になるという問題点があり、この問題を解消するため、本発明者らは先に特願２００６−１０６８４５号として、一対の格子体がガイド枠における同一軌道上を移動するようにした面格子装置を提案している。
【０００３】
当該面格子装置は、概略的には、互いに平行を成す第１縦枠材及び第２縦枠材、並びに互いに平行を成してこれら縦枠材同士を連結する複数の横桟材をそれぞれ有する第１及び第２格子体とから成り、第１及び第２格子体における上記横桟材が互いに異なる高さに設けられた面格子を備え、上記第１及び第２格子体における建物開口部の中央部側に位置する各第２縦枠材が、それぞれ他方の格子体における第１及び第２縦枠材の間に位置して、両格子体における各横桟材が他方の格子体における第２縦枠材に設けられた貫通穴に挿通されたもので、上記第１及び第２格子体を建物開口部の上下のガイド枠の同一軌道に沿って相対的に移動可能にそれぞれ支持させるようにしたものである。
このような既提案の面格子装置は、省スペースで設置できる点で有効なものであるが、面格子装置本来の機能として、格子体の剛性や防犯上の安全性の確保の改善が一層望まれている。
【発明の開示】
【発明が解決しようとする課題】
【０００４】
本発明の技術的課題は、引き違い戸式の戸障子が装設された建物開口部に設置する上記既提案の横引き式の面格子装置において、十分な剛性や、外部からの破壊や解体に対する困難性、あるいは防犯上の安全性を確保しながら、特に、この面格子装置の設置により、侵入者がしばしば行う上記戸障子のクレセントの解錠を効果的に抑制可能にすることにある。
【課題を解決するための手段】
【０００５】
上記課題を解決するため、本発明に係る建物開口部用面格子装置は、クレセントを備えた引き違い式戸障子が装設された建物開口部において、該戸障子よりも室内側の上横枠及び下横枠に設置するガイド枠により支持させるための建物開口部用面格子装置であって、互いに平行を成す第１縦枠材及び第２縦枠材、並びに互いに平行を成してこれら縦枠材同士を連結する複数の横桟材をそれぞれ有する第１及び第２格子体とから成り、第１及び第２格子体における上記横桟材が互いに異なる高さに設けられた面格子を備え、上記建物開口部に設置される上下のガイド枠の同一軌道に、上記両格子体における各縦枠材の上下端部をそれぞれ支持させ、上記第１及び第２格子体における建物開口部の中央部側に位置する各第２縦枠材が、それぞれ他方の格子体における第１及び第２縦枠材の間に位置して、両格子体における各横桟材が他方の格子体における第２縦枠材に設けられた貫通穴に挿通され、該両第２縦枠材は両格子体を最も拡張させた状態で互いに当接する当接面を有しており、上記第１及び第２格子体を上記ガイド枠に沿って相対的に移動させることにより、両格子体の設置状態を拡縮できるように構成され、上記面格子は、その両格子体が拡張された状態でガイド枠に対して固定可能な固定手段を有し、上記固定手段による面格子の固定状態においては、両格子体の第２縦枠材のうちの少なくとも一方が、上記戸障子のクレセントの開錠操作を不能にする位置にあるように形成したことを特徴とするものである。
【０００６】
本発明に係る上記建物開口部用面格子装置の好ましい実施形態においては、上記両格子体が最も拡張された状態で両格子体の第２縦枠材を相互に連結するロック手段を備え、該ロック手段で両格子体の第２縦枠材を連結したときの両格子体で構成される面格子の横方向の長さが、建物開口部の横幅よりも短く形成されていて、該ロック手段による第２縦枠材の連結の解除及び前記固定手段による面格子の固定の解除により、両格子体をガイド枠に沿ってそれぞれ移動可能とし、この状態において、第２縦枠材が上記クレセントの操作を可能にする位置に移動可能に形成される。
【０００７】
上記建物開口部用面格子装置においては、ガイド枠に対する面格子の固定手段が、第１及び第２格子体における一方の第２縦枠材に設けられ、該固定手段は、ガイド枠に設けた係止孔に向けて突出係合させる係止部材を有し、該係止部材をガイド枠の係止孔に向けて出没させる操作子が、第１及び第２格子体における第２縦枠材の当接面側において操作可能に配設されており、上記ロック手段による一対の第２縦枠材の連結時に上記操作子が外部から操作不能に隠蔽されているのが適切である。
【０００８】
本発明に係る建物開口部用面格子装置の他の好ましい実施形態においては、第１及び第２格子体における第２縦枠材の召し合わせ部において、両第２縦枠材の当接面を被覆隠蔽する覆片が、一方の第２縦枠材に付設され、また、上記上下のガイド枠において、それぞれ各ガイド溝の溝底を貫通する固定ネジにより上記建物開口部の上横枠及び下横枠に対し固定される部分に、鉄材またはそれよりも高強度の溝型の補強板を当接し、上記固定ネジによって固定される補強板の当接部分を、前記固定手段による面格子の固定位置において拡張された状態にある両格子体の第１及び第２縦枠材が存在する部分として構成される。
【０００９】
更に、本発明に係る建物開口部用面格子装置の好ましい実施形態においては、上記ロック手段が、第１及び第２格子体における第２縦枠材のうちの一方に設けられてその第２縦枠材の内部から他方の第２縦枠材に向かって出没するフックを備えた錠部と、他方の第２縦枠材に設けられて、上記フックが係脱可能に係合する係合部とから成り、上記錠部が、上記一方の縦枠材の室内側側面に配設された鍵穴を有し、該鍵穴に差し込んだ鍵の操作により、上記フックを上記係合部に対し係脱可能に構成される。
また、上記第１及び第２格子体において、横桟材が全体的に上下方向に等間隔に配設されていると共に、両格子体の横桟材が上下方向に交互に配設されているものとして構成し、更に、上記横桟材が第１及び第２縦枠材に固定ネジで取り付けるためのビスポケット用溝を有し、該溝に鉄材またはステンレス製のロープを挿通しているものとして構成することが望まれる。
【００１０】
上記構成を有する本発明の建物開口部用面格子装置は、その面格子装置を建物開口部における戸障子の内側に設置した状態においては、外部からの侵入者が建物開口部における戸障子のクレセント部分のガラス等を破壊して該クレセントを解錠しようとしても、面格子の第２縦枠材の存在によりクレセントの解錠操作を行うことができず、また、面格子を建物開口部におけるガイド枠に固定する固定手段は、一対の第２縦枠材のロック手段の解除によりそれらの第２縦枠材を離間させたうえでなければ操作できず、更に、面格子の強度を高める構成などを備えているので、それらにより、十分に防犯上の安全性が確保される。
【発明の効果】
【００１１】
このように、本発明の建物開口部用横引き式面格子装置によれば、一対の格子体の各縦枠材が、上下一対のガイド枠により形成される同一軌道上に配置されるため、格子体ごとに独立した軌道を確保する必要がなく、ガイド枠を含めた面格子装置全体の厚みを抑制することができ、しかも、引き違い戸式の戸障子が装設された建物開口部用面格子装置として、十分な剛性や、外部からの破壊や解体に対する困難性、あるいは防犯上の安全性を確保しながら、特に、この面格子装置の設置により、侵入者がしばしば行う戸障子のクレセントの解錠を効果的に抑制することができる。
【発明を実施するための最良の形態】
【００１２】
図面は、本発明に係る建物開口部用面格子装置の実施例を示すものである。この面格子装置１は、図１に示すように、建物開口部２に取り付けられた引き違い式の戸障子３の室内側に面格子４を装着することにより構成されるもので、該面格子４は、図１〜図５から分かるように、互いに平行を成す第１及び第２縦枠材１１，１２と、互いに平行を成してこれら縦枠材同士を相互に連結する複数の横桟材１３とから成る第１格子体１０、並びに、互いに平行を成す第１及び第２縦枠材２１，２２と、互いに平行を成してこれら縦枠材同士を相互に連結する複数の横桟材２３とから成る第２格子体２０を備え、第１及び第２格子体１０，２０における上記横桟材１３，２３が互いに異なる高さに設けられて、以下に述べるような態様で第１及び第２格子体１０，２０を相互に連結することにより面格子４を構成している。
【００１３】
即ち、上記第１及び第２格子体１０，２０における建物開口部２の中央部側に位置する各第２縦枠材１２，２２は、それぞれ他方の格子体２０，１０における第１縦枠材２１と第２縦枠材２２との間、及び第１縦枠材１１と第２縦枠材１２との間に位置して、両格子体１０，２０における各横桟材１３，２３が他方の格子体２０，１０における第２縦枠材２２，１２に設けられた貫通穴２４，１４にそれぞれ挿通され、両第２縦枠材１２，２２は、両格子体１０，２０を最も拡張させた状態（図１、図２及び図４参照）で互いに当接する当接面１２ｄ，２２ｄを有している（図６及び図７を参照）。
【００１４】
一方、引き違い式の戸障子３が装設された建物開口部２の上横枠及び下横枠における該戸障子３の内側に、上下のガイド枠５，６が固定ネジ５ｂ，６ｂによりそれぞれ固定的に取り付けられ、上記両格子体１０，２０における各縦枠材の上下端部が、該上下のガイド枠５，６のガイド溝５ａ，６ａ（図９〜図１２参照）で形成される同一軌道によりそれぞれ摺動自在に支持されている。従って、面格子４の第１及び第２格子体１０，２０を建物開口部２のガイド枠５，６に沿って相対的に移動させることにより、両格子体１０，２０の設置状態を拡縮することができる。
【００１５】
上記上下のガイド枠５，６は、建物開口部２の上横枠及び下横枠の全長にわたって設置されている。これに対して、面格子４を構成する第１及び第２格子体１０，２０は、それらを後述するロック手段５０で連結した拡張状態でも、その面格子４の横方向の長さが、建物開口部２の横幅よりも短く形成されているので、面格子４を最も拡張させた状態においても、後述する固定手段６０により面格子４をガイド枠５，６等に対して固定していなければ、それを該ガイド枠５，６に沿って移動させることができ、もちろん、上記ロック手段５０の解除により第１及び第２格子体１０，２０を個別的に分離したときには、それぞれの格子体１０，２０を個別的に移動させることができる。
なお、格子体１０，２０の移動の必要がなければ、上記ガイド枠５，６の設置範囲を縮小して、格子体１０，２０の移動範囲を制限することもできる。また、上記面格子４は、それを最も拡張させた状態における横幅が、戸障子３のガラス部分の少なくとも大半を覆うように形成するのが望まれる。
【００１６】
上記面格子４は、上述したように、その両格子体１０，２０が拡張された状態でガイド枠６に対して固定する固定手段６０を有しているが、この固定手段６０による面格子４の固定状態においては、両格子体１０，２０の第２縦枠材１２，２２のうちの少なくとも一方が、建物開口部２に装設した上記引き違い式の戸障子３におけるクレセント８の操作子８ａの直前に位置してその操作の障害になり、開錠操作を不能にするように形成されている。
【００１７】
しかしながら、戸障子３を開く場合には、そのクレセント８の解錠操作を行う必要があり、そのため、上述したガイド枠５，６に沿う第１及び第２格子体１０，２０の移動により室内側にクレセント８を露出できるようにして、面格子４がクレセント８の施錠あるいは解錠操作の妨げとならないようにしている。即ち、上記ロック手段５０による第２縦枠材１２，２２の連結の解除及び上記固定手段６０による面格子４の固定の解除により、両格子体１０，２０をガイド枠５，６に沿ってそれぞれ移動可能とした状態において、第２縦枠材１２，２２を上記戸障子３のクレセント８の開錠操作が可能な位置に移動可能に形成している。
【００１８】
上記第１格子体１０及び第２格子体２０の各縦枠材１１，１２，２１，２２は、図２に示すように、それらの上端に設けられた上端キャップ１１ａ，１２ａ，２１ａ，２２ａと、それらの下端に設けられた下端キャップ１１ｂ，１２ｂ，２１ｂ，２２ｂと、これらの各上端及び下端キャップとの間に配設され、上記横桟材１３，２３が取り付けられた中空の中間部材１１ｃ，１２ｃ，２１ｃ，２２ｃとにより構成されている。そして、上記各下端キャップには、下部のガイド枠６におけるガイド溝６ａの口縁の内向き凸条６ｃ（図１１及び図１２参照）との係合により、各縦枠材がガイド溝６ａから抜脱するのを防止するための爪状部３０をそれぞれ突設している（図８参照）。
【００１９】
また、上記各中間部材１１ｃ，１２ｃ，２１ｃ，２２ｃは、断面略コ字形状の同一形状の枠部材２５と、その開口部に取り付けられた閉蓋部材２７とでそれぞれ構成され（図６参照）、これら枠部材２５における底面に上記横桟材１３，２３が固定ネジ２９によってそれぞれ固定されている。上記閉蓋部材２７は、上記枠部材２５の開口縁内に嵌め込まれて該開口を閉塞するもので、その側縁に突設された係止爪２７ｂを有する一対の突縁部２７ａを、枠部材２５の両開口縁の凹溝２５ａに嵌入係止させることにより、枠部材１６の開口部に結合させている。更に、上記両第２縦枠材１２，２２の中間部材１２ｃ，２２ｃには、前記貫通穴１４，２４がそれぞれ横桟材２３，１３の断面形状に合わせて開設されている。
【００２０】
上記第２縦枠材１２，２２における枠部材２５には、面格子４を最も拡張した場合に相互に当接する召し合わせ部に前記当接面１２ｄ，２２ｄを形設している（図６及び図７参照）が、両第２縦枠材１２，２２には、第１及び第２格子体１０，２０におけるこれらの当接面１２ｄ，２２ｄの表裏面側を被覆隠蔽するように、それらの当接面１２ｄ，２２ｄの覆片１２ｅ，２２ｅを一体に付設している。従って、当接面相互間にドライバー等の先端を押入してこじ開けたりするの抑止することができる。
【００２１】
上記第１及び第２格子体１０，２０の横桟材１３，２３は、図１３に示すように、断面縦長の略矩形状のもので、各格子体１０，２０において、全体的に上下方向に略等間隔に配設されると共に、これら格子体１０，２０を組み合わせて成る面格子４において横桟材１３，２３が上下方向に交互に配設されている。そのため、面格子４を拡縮させる際に、両格子体１０，２０の横桟材１３，２３同士が互いに干渉し合うことはない。
そして、各横桟材１３，２３には、第１及び第２縦枠材１１，１２，２１，２２に固定ネジ２９で取り付けるためのビスポケット用溝３３を設け、該溝３３に鉄材またはステンレス製のロープ３４を挿通している。従って、横桟材１３，２３が侵入者によって簡単に破断されることはない。
【００２２】
一方、建物開口部２の上横枠に取り付けられる上記上側ガイド枠５は、図９及び図１０に示すように、下方に向けてガイド溝５ａが開口する断面略コ字形に形成されたものであるが、そのガイド溝５ａの溝底を貫通する固定ネジ５ｂにより上記建物開口部２の上横枠に対して固定される部分の内面に、鉄材またはそれよりも高強度の溝型の補強板３６を当接し、そして、該補強板３６の当接部分を、固定手段６０による面格子４の固定位置において拡張された状態にある両格子体１０，２０の第１及び第２縦枠材１１，１２，２１，２２が存在する部分に設定している。
【００２３】
また、建物開口部２の下横枠に取り付けられる上記下側ガイド枠６は、図１１及び図１２に示すように、上方に向けてガイド溝６ａが開口する断面略コ字形に形成されたものであるが、そのガイド溝６ａの溝底を貫通する固定ネジ６ｂにより上記建物開口部２の下横枠に対して固定される部分に、上記補強板３６と同様に、鉄材またはそれよりも高強度の溝型の補強板３７を当接し、そして、上記補強板３６と同様に、補強板３７の当接部分を、固定手段６０による面格子４の固定位置において拡張された状態にある両格子体１０，２０の第１及び第２縦枠材１１，１２，２１，２２が存在する部分に設定している。
【００２４】
更に、建物開口部２の下横枠に取り付けられる上記下側ガイド枠６は、侵入者によって破壊されやすい位置にあるため、図１２に示すように、この下側ガイド枠６には、その裏側からも、上記補強板３７と同位置に補強板３８を当設し、両補強板３７，３８をネジで固定して一層の補強を図っている
従って、両格子体１０，２０の第１及び第２縦枠材１１，１２，２１，２２がガイド枠５，６に固定される部分が上記補強板３６，３７，３８により補強され、侵入者による破壊を防ぐことができる。
【００２５】
また、上記下側のガイド枠６は、ガイド溝６ａの溝底の複数箇所において、下横枠に固定ネジ６ｂで固定するようにしているが、それらの固定ネジ６ｂのネジ頭を隠蔽するための細長板状の隠しカバー４０が、該ガイド溝６ａの溝底の幅方向中央部に嵌め込まれている。そして、この隠しカバー４０の取り外しを困難にするため、ガイド枠６の両端側に位置する上記補強板３８の端部を上向きに折返し、上記隠しカバー４０の押さえ片４０ａを形成している。
【００２６】
上述したように、上記面格子４は、その格子体１０，２０を最も拡張させた状態にロックするためのロック手段５０を有している。このロック手段５０は、図１、図６及び図７に示すように、面格子を最も拡張させた状態において相互に当接する第２縦枠材１２及び第２縦枠材２２との間に設けたもので、第２縦枠材２２に取り付けられて、その内部から第２縦枠材１２側に向かって出没するフック５２を操作可能にした錠部５１と、第２縦枠材１２に設けられて、に形成された上記フック５２が係脱可能に係合する係合部５３とを備えている。そして、上記錠部５１は、第２縦枠材２２の中間部材２２ｃの上下２個所に設け、その室内側側面に鍵穴５１ａを有していて、該鍵穴５１ａに差し込んだ鍵の操作により、上記フック５２を上記係合部５３に対し係脱可能に構成している。従って、上記錠部５１を室内側から操作してフック５２を出没させ、係合部５３に対して係脱させることにより、格子体１０，２０における第２縦枠材１２，２２を相互に連結して面格子４を拡張状態に保持したり、またはその連結状態を解除したりすることができる。
なお、上記ロック手段５０は、ここで説明した実施例の構成に限るものではない。
【００２７】
また、上記面格子４には、前述したように、ガイド枠６に対する該面格子４の固定手段６０を備えている。該固定手段６０は、第２縦枠材１２の下部に、ガイド枠６に設けた係止孔６１（図７の（ａ）参照）に向けて突出係合させる係止部材６２を有し、該係止部材６２をガイド枠６の係止孔６１に向けて出没させる操作子６３を、該第２縦枠材１２に上下摺動自在に設けている。この操作子６３は、第１及び第２格子体１０，２０における第２縦枠材１２，２２の当接面側において操作可能に配設されており、そのため、上記ロック手段５０による一対の第２縦枠材１２，２２の連結時には、上記操作子６３が外部から操作不能に隠蔽されることになる。
【００２８】
従って、上記ロック手段５０を解除した状態で、上記固定手段６０の係止部材６２をガイド枠６の係止孔６１上に移動させ、操作子６３の操作により第２縦枠材１２を下側ガイド枠６に固定した上で、上記ロック手段５０により第２縦枠材１２，２２を連結すると、面格子４を最も拡張させた際に第２縦枠材１２，２２またはそのいずれかが戸障子３のクレセント８の直前に位置する状態に面格子４を固定することができる。
なお、上記固定手段６０については、第１及び第２格子体１０，２０の一方を所定の位置に固定できれば、第１または第２格子体のどちらの格子体に設けてもよい。
【図面の簡単な説明】
【００２９】
【図１】本発明に係る建物開口部用面格子装置の実施例を示す水平断面図である。
【図２】同実施例における上下のガイド枠に面格子を取り付けた状態を概略的に示す正面図である。
【図３】図２の断面図である。
【図４】上記実施例において面格子を拡張した状態の斜視図である。
【図５】同実施例において面格子を収縮させた状態の斜視図である。
【図６（ａ）】面格子の固定手段及び第２縦枠材相互のロック手段（非ロック状態）の構成を示す要部拡大断面図である。
【図６（ｂ）】図６（ａ）の水平断面図である。
【図７（ａ）】面格子の固定手段及び第２縦枠材相互のロック手段（ロック状態）の構成を示す要部拡大断面図である。
【図７（ｂ）】図７（ａ）の水平断面図である。
【図８】上記固定手段の要部斜視図である。
【図９】建物開口部の上部に設置するガイド枠の一部破断要部斜視図である。
【図１０】同ガイド枠の断面図である。
【図１１】建物開口部の下部に設置するガイド枠の一部破断要部斜視図である。
【図１２】同ガイド枠の断面図である。
【図１３】横桟材の一部破断斜視図である。
【符号の説明】
【００３０】
１    面格子装置
２    建物開口部
３    戸障子
４    面格子
５，６    ガイド枠
５ａ，６ａ    ガイド溝
８    クレセント
１０    第１格子体
１１，２１    第１縦枠材
１２，２２    第２縦枠材
１３，２３    横桟材
１４，２４  貫通穴
２０  第２格子体
【図１】
0004943256.tif 000002
【図２】
0004943256.tif 000003
【図３】
0004943256.tif 000004
【図４】
0004943256.tif 000005
【図５】
0004943256.tif 000006
【図６（ａ）】
0004943256.tif 000007
【図６（ｂ）】
0004943256.tif 000008
【図７（ａ）】
0004943256.tif 000009
【図７（ｂ）】
0004943256.tif 000010
【図８】
0004943256.tif 000011
【図９】
0004943256.tif 000012
【図１０】
0004943256.tif 000013
【図１１】
0004943256.tif 000014
【図１２】
0004943256.tif 000015
【図１３】
0004943256.tif 000016